(57)【特許請求の範囲】
【請求項１】
建物の屋上から採光するためのトップライトにおいて、
該トップライトの外部材３、１１とトップライトの内部材４、１２を遮熱材５、６、１３，１４を介して断熱した構造となし、
また、前記トップライトをアルミニウム型枠材で構成される基枠材部１と屋根枠材部２に分割し、
該基枠材部１と屋根枠材部２の両部材の内部材４、１２にはそれぞれスプリング収納枠部１７、１８が設けられ、該スプリング収納枠部１７、１８に穿設したシリンダー孔１９、２０に引張型コイルバネ３１、３２とダンパーバネ３３、３４を収納し、
該シリンダー孔１９，２０に沿ってプーリ摺動溝部２１、２２を並設し、
該両プーリ摺動溝部２１、２２に摺動レール２３、２３及び２４，２４を対向して設け、該摺動レール２３、２３を設けた前記基枠材部１と摺動レール２４、２４を設けた屋根枠材部２間にはクロスバー状のポップアップアーム２５、２５を介在せしめ、
該屋根枠材部２を押し上げるように該ポップアップアーム２５、２５の端部を前記引張型コイルバネ３１，３２で弾性付勢したこと、
を特徴とするトップライト。
【請求項２】
前記トップライトにおいて、
分割された基枠材部１と屋根枠材部２のそれぞれの遮熱材５、６、１３、１４がウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムにて成形したものであること、
を特徴とする請求項１記載のトップライト。
【発明の詳細な説明】
【０００１】
【発明の属する技術分野】
本発明は屋上に取り付け、採光を得るためのトップライトに係り、殊に屋外との断熱効果に優れると共に該トップライトをポップアップして開くことのできるトップライトに関するものである。
【０００２】
【従来の技術】
従来より各種トップライトが建造物の種々屋上に使われている。このようなトップライトは熱伝導率の良好なアルミニウム型材で構成されており屋上にあるため、夏期の熱射や冬期の寒冷を直接受けるようになり、内部まで熱射や寒冷が伝播して内部の部材まで高温に或いは低温になって空気調整設備が有効に機能しなくなる問題を有していた。
【０００３】
また、このようなトップライトは、開閉式のものはあったが、蝶番式であったため、片開きになって開放状態では一部雨などの侵入が懸念された。また、軽く開閉するための機構が露出してしまい、塵埃の付着による作動不良や内観美を損なうものであった。
【０００４】
【発明が解決しようとする課題】
本発明は上記問題に鑑みてなされたもので、アルミニウム型材の外部材と内部材を分断すると共に両部材の間に合成ゴム等の遮熱材を設けて熱の伝播を遮断し、外気の温度が内部材まで及ばないようにしたトップライトを提供することを目的とするものである。またそのときトップライトを平行にポップアップする構造とし、その機構をトップライトを構成するアルミニウム型材の中に収容した新規構造のトップライトを提供することを目的とするものである。
【０００５】
【課題を解決するための手段】
本発明のトップライトは、建物の屋上から採光するためのトップライトにおい
て、該トップライトの外部材とトップライトの内部材を遮熱材を介して断熱した
構造となし、また、前記トップライトをアルミニウム型枠材で構成される基枠材部と屋根枠材部に分割し、該基枠材部と屋根枠材部の両部材の内部材にはそれぞれスプリング収納枠部が設けられ、該スプリング収納枠部に穿設したシリンダー孔に引張型コイルバネとダンパーバネを収納し、該シリンダー孔に沿ってプーリ摺動溝部を並設し、該両プーリ摺動溝部に摺動レールを対向して設け、該摺動レールを設けた前記基枠材部と摺動レールを設けた屋根枠材部間にはクロスバー状のポップアップアームを介在せしめ、該屋根枠材部を押し上げるように該ポップアップアームの端部を前記引張型コイルバネで弾性付勢したことを要旨とするものである。
【０００６】
また本発明は、前記トップライトにおいて、分割された基枠材部と屋根枠材部のそれぞれの遮熱材がウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムにて成形したことを要旨とするものである。
【０００７】
【実施例】
以下、本発明の好ましい一実施例を添付図面に従って説明する。
トップライトは熱伝導性の良導体であるアルミニウム型材によって構成される。該トップライトは基枠材部１と屋根枠材部２に分割され、屋根枠材部２が基枠材部１に対して平行にポップアップする構造になっている。基枠材部１は断面Ｌ字状の外部材３の内側に内部材４を設けてなり、外部材３と内部材４は遮熱材を介して断熱的に接合されている。
【０００８】
遮熱材は、ウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムから成形される。
【０００９】
該外部材３と内部材４の間の遮熱材５、６は、内部材４の外角部と対向するように構成した外部材３の縁７、８の間に介装され、それぞれビス９、１０によって両部材を固設してなる。
【００１０】
一方屋根枠材部２も、外部材１１と内部材１２とで構成されている。断面Ｌ字状の外部材１１の内側に、内部材１２を、遮熱材１３，１４を介して固設一体化される。即ち、外部材１１と内部材１２は、遮熱材１３，１４を介在し、ビス１５、１６によって両部材を固設してなる。
【００１１】
基枠材部１と屋根枠材部２のそれぞれ内部材４、１２には、スプリング収納枠部１７、１８が一体に成形されている。該スプリング収納枠部１７、１８は、それぞれ円筒状のシリンダー孔１９、２０と、該シリンダー孔１９、２０に沿って並設したプーリ摺動溝部２１、２２からなり、該両プーリ摺動溝部２１、２２に対向して設けた摺動レール２３、２３及び２４、２４には、クロスバー状に取り付けたポップアップアーム２５、２５の摺動側にピボットヒンジ２６，２６を介して摺動自在に枢着した摺動子２７、２７に回動自在に枢着してなるプーリ２８、２８及び２９、２９を摺回動自在に嵌合してなる。
【００１２】
両ポップアップアーム２５、２５のそれぞれもう一方の固定端は、ピボットヒンジ３０，３０を介してスプリング収納枠部１７、１８に枢着されており、摺動子２７，２７には、それぞれ前記シリンダー孔１９、２０に収容した引張型コイルバネ３１、３２が設けられている。また３３及び３４は、上記引張型コイルバネ３１、３２に対向してシリンダー孔１９，２０に収容したダンパーバネである。そして上記プーリ摺動溝部２１、２２の開口面には、摺動方向に長孔３５，３５を穿設した蓋部材３６，３７が取り付けられている。
【００１３】
上記基枠材部１と屋根枠材部２の開閉部には、基枠材部１の外部材３に構成した嵌合溝３８、３９、４０に、それぞれパッキン４１，４１，４１を嵌合して、屋根枠材部２との気密及び水密を図っている。パッキンは、ウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムから成形され、それぞれ嵌合リブ４２をもって嵌合溝３８、３９、４０と嵌合固着してなる。
【００１４】
また符号４３は屋根枠材部２に嵌合した板ガラスであり、内部材１２に嵌合したガラス受け枠４４と外部材１１間に、ライナー４５を介してはめ込まれ、ガラス受け枠４４の周溝に嵌合したパッキン４６によって押圧され、内部材１２を外部材１１と一体化したとき、ビス１５によって該板ガラス４３も一体化組成される。また、このとき上記ライナー４５及びパッキン４６も、ウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムから成形されるものである。
【００１５】
上記構成になるトップライトは、ポップアップアーム２５、２５を起伏させることによって、基枠材部１に対して屋根枠材部２を平行に開閉することができるものである。このとき引張型コイルバネ３１が設けられているため、屋根枠材部２と該屋根枠材部２に支えられた板ガラス４３等の荷重を支えて軽く動かすことができ、ダンパーバネ３３、３４によって開けるときの初期荷重を小さく押さえることができる。
【００１６】
そして該引張型コイルバネ３１、３２やダンパーバネ３３、３４は両内部材３、１２のスプリング収納枠部１７、１８に穿設したシリンダー孔１９、２０に完全に収容されているため、外観が優れ、意匠性が良好であると共に施工時に手指を挟むなどの危険性が解消され、また塵埃などが溜まり難くなる。
【００１７】
また上記構成では、基枠材部１及び屋根枠材部２共に外部材３，１１と内部材４、１２の間に、遮熱材５，６及び１３，１４を介在し、熱伝導の縁切りを行っているため、外部材３，１１側の炎熱や冷却をそのまま内部材４，１２に伝播することがない。このため、夏の猛暑であっても冬の酷寒であっても、内部材４，１２側は快適に保たれ、室内温度に大きな影響を与えない。
【００１８】
【発明の効果】
以上述べたように、本発明に係るトップライトは、基枠材部と屋根枠材部の外部材と内部材の間に、ウレタンゴム、アクリルゴム、ブチルゴム、シリコーンゴム、イソブチレンゴム、エチレン−プロピレン−ジエン三元共重合体（ＥＰＤＭ）、ＣＲ（クロロピレンゴム）、ＰＶＣ（ポリ塩化ビニル樹脂）、シリコーン樹脂、ナイロン樹脂、ポリカーボネート樹脂や天然ゴムから成形される遮熱材を介在し、熱伝導の縁切りを行っているため、外部材側の炎熱や冷却をそのまま内部材に伝播することがなく、夏の猛暑または冬の酷寒中、室内温度を快適に保つことができる。またこのため、トップライト内側の結露を解消でき、優れた住環境を保つことが可能になる。
【００１９】
また、引張型コイルバネやダンパーバネ等の部品が、両内部材のスプリング収納枠部に穿設したシリンダー孔に完全に収容されるような構造になるため、外観に優れると共に、手指を挟むなどの危険性が解消される等の特徴を有するものであり、本発明の実施によって得られる効果は極めて大きい。
【図面の簡単な説明】
【図１】  本発明の一実施例を示すトップライトを開けた状態の正面縦断面図である。
【図２】  同トップライトの閉めた状態を示す要部縦断面図である。
【符号の説明】
１  基枠材部
２  屋根枠材部
３  外部材
４  内部材
５，６  遮熱材
１０，１１  ビス
１１  外部材
１２  内部材
１３，１４  遮熱材
１５，１６  ビス
１７，１８  スプリング収納枠部
１９，２０  シリンダー孔
２１，２２  プーリ摺動溝部
２３，２４  摺動レール
２５  ポップアップアーム
２６  ピボットヒンジ
２７  摺動子
２８，２９  プーリ
３０  ピボットヒンジ
３１，３２  引張型コイルバネ
３３，３４  ダンパーバネ
３５  長孔
３６，３７  蓋部材
３８，３９，４０  嵌合溝
４１  パッキン
４２  嵌合リブ
４３  板ガラス
４４  ガラス受け枠
４５  ライナー
４６  パッキン
【図１】
0003680000.tif 000002
【図２】
0003680000.tif 000003